(57)【要約】【課題】仕上げ作業や組立て作業を少なくして作業時間を確実に短縮できるようにする。【解決手段】階段用スラブ型枠１を斜設した後、該階段用スラブ型枠１の上面に階段鉄筋２を配筋し、つぎに、階段用スラブ型枠１及び階段鉄筋２の上に階段型枠１０を配し、続いて、階段用スラブ型枠１と階段型枠１０とを第一連結部材２０、及び、第二連結部材２５によって連結し、その後、階段構造物の踊り場、又は、階段型枠１０の側面の少なくともいずれか一方からコンクリート３５を充填し、階段型枠１０の段板１２に穿設された複数のコンクリート充填点検穴１８からコンクリート３５の充填度合いを確認した後、第二連結部材２５を解体する。【選択図】    図１
2005030034.tif 000002
【特許請求の範囲】
【請求項１】
斜設された階段用スラブ型枠と、該階段用スラブ型枠の上面に配筋された階段鉄筋と、階段用スラブ型枠及び階段鉄筋の上に配される階段型枠と、階段用スラブ型枠及び階段型枠の間に充填されるコンクリートとから構成される階段構造物において、階段型枠は、段板及び蹴込み板が交互に配設されて一体化され、しかも、階段型枠の段板には、複数のコンクリート充填点検穴が穿設され、さらに、各コンクリート充填点検穴は、着脱可能な蓋体、又は、モルタルによって密閉されてなることを特徴とする階段構造物。
【請求項２】
階段型枠の段板には、その両端部に排水溝が形成され、さらに、階段型枠の段板には、段板の排水溝、又は、段板の段鼻の少なくともいずれか一方への水勾配が形成され、加えて、段板の段鼻には、滑り止めが設けられてなることを特徴とする請求項１に記載の階段構造物。
【請求項３】
階段用スラブ型枠と階段型枠とが連結されて一体化されてなることを特徴とする請求項１又は２に記載の階段構造物。
【請求項４】
階段用スラブ型枠を斜設した後、該階段用スラブ型枠の上面に階段鉄筋を配筋し、つぎに、階段用スラブ型枠及び階段鉄筋の上に階段型枠を配し、続いて、階段用スラブ型枠と階段型枠とを連結部材によって連結し、その後、階段構造物の踊り場、又は、階段型枠の側面の少なくともいずれか一方からコンクリートを充填し、階段型枠の段板に穿設された複数のコンクリート充填点検穴からコンクリートの充填度合いを確認するようにしたことを特徴とする階段構造物の施工方法。
【発明の詳細な説明】
【０００１】
【発明の属する技術分野】
本発明は、鉄筋コンクリート建築物における階段構造物及び階段構造物の施工方法に関する。
【０００２】
【従来の技術】
従来の階段構造物としては、例えば、特許第２５３５２５６号に示すように、斜設された階段用スラブ型枠と、該階段用スラブ型枠の上面に配筋された階段鉄筋と、階段用スラブ型枠及び階段鉄筋の上に配される埋込み式のメタルラスの階段型枠と、階段用スラブ型枠及び階段型枠の間に充填されるコンクリートとから構成されたものが公知になっている。
【０００３】
そして、工場で予め加工しておいたメタルラスの階段型枠を階段鉄筋に設置することで、階段型枠の設置作業の短縮を図ると共に、階段型枠の網目から浸出するコンクリートを平滑化することで、階段型枠の表面仕上げにかかる作業時間の短縮を図り、工期全体の短縮を図っている。
【０００４】
また、他の従来の階段構造物としては、特開平１１―２７００９０号に示すように、斜設された階段用スラブ型枠と、該階段用スラブ型枠の上面に配筋された階段鉄筋と、階段用スラブ型枠及び階段鉄筋の上に配される階段型枠と、階段用スラブ型枠及び階段型枠の間に充填されるコンクリートとから構成されたものが公知になっている。
【０００５】
階段型枠は、コンクリート充填口が形成された段板と、蹴込み板とを一体化した一段分の階段構成要素が複数連結されて組み立てられる。さらに、各階段構成要素は固定金具によって、階段壁型枠にそれぞれ固定される（図示せず）。
【０００６】
そして、各階段構成要素の段板のコンクリート充填口からコンクリートを充填し、各階段構成要素を固着することで、工期の短縮化を図っている。
【０００７】
【発明が解決しようとする課題】
しかしながら、前者の場合、メタルラスの階段型枠の網目から浸出するコンクリートを平滑化する階段型枠の表面仕上げ工程が必要になるため、その作業時間に時間を要するという問題がある。
【０００８】
また、後者の場合、現場において、複数の階段構成要素を組み立てる必要があるため、その組立て作業に時間を要するという問題がある。しかも、階段構成要素の段板のコンクリート充填口からコンクリートを充填するため、段板の上面にコンクリートが付着することになり、その仕上げ作業が付加されることになる。
【０００９】
ところで、上述した従来の階段構造物は、いずれの場合も、階段用スラブ型枠と、階段鉄筋と、階段型枠とから構成されているが、特許第３１９６０４３号に示すように、鉄筋コンクリート躯体物に先行して構築される階段構造物として、階段室を構成する階段壁型枠と、複数の階段壁型枠の掛止金具が設けられた簓桁を有する階段型枠とから構成されているものが公知になっている。この場合、階段構造物は鉄筋コンクリート躯体物に先行して構築されるため、鉄筋コンクリート躯体物全体としての強度は考慮されておらず、上述した従来の階段構造物（特許第２５３５２５６号、及び、特開平１１―２７００９０号）とは、構造を異にするものである。したがって、特許第３１９６０４３号に示す階段型枠を、構造の異なる階段構造物（特許第２５３５２５６号、及び、特開平１１―２７００９０号）には、容易に適用できるものではない。
【００１０】
そこで、本発明は上記問題点に鑑み、仕上げ作業や組立て作業を少なくして作業時間を確実に短縮できる階段構造物及び階段構造物の施工方法を提供することを目的とする。
【００１１】
【課題を解決するための手段】
上記課題を解決するために、本発明の階段構造物は、請求項１に示す如く、斜設された階段用スラブ型枠と、該階段用スラブ型枠の上面に配筋された階段鉄筋と、階段用スラブ型枠及び階段鉄筋の上に配される階段型枠と、階段用スラブ型枠及び階段型枠の間に充填されるコンクリートとから構成される階段構造物において、階段型枠は、段板及び蹴込み板が交互に配設されて一体化され、しかも、階段型枠の段板には、複数のコンクリート充填点検穴が穿設され、さらに、各コンクリート充填点検穴は、着脱可能な蓋体、又は、モルタルによって密閉されてなるものである。
【００１２】
したがって、階段鉄筋に階段型枠を設置するだけでよく、現場での階段型枠の組立てが不要になり、組立作業工程が不要になる。さらに、例えば、階段型枠の側面から階段用スラブ型枠と階段型枠との間にコンクリートを充填すれば、階段型枠の段板の上面にコンクリートが付着することもなく、段板の表面仕上げも不要になる。よって、工期の短縮化が確実に行われる。加えて、充填したコンクリートを段板のコンクリート充填点検穴から点検できるため、階段型枠を確実に固定できる。
【００１３】
また、請求項２に示す如く、排水溝を階段型枠の段板の両端部にそれぞれ形成し、段板の排水溝、又は、段板の段鼻の少なくともいずれか一方への水勾配を、階段型枠の段板に形成すると共に、滑り止めを段板の段鼻に設ける。
【００１４】
そうすれば、階段構造物を構築した後に、段板の滑り止めや水勾配を形成する必要もないので、より作業効率が向上されることになる。
【００１５】
さらに、請求項３に示す如く、階段用スラブ型枠と階段型枠とを連結して一体化するようにしたものである。
【００１６】
この場合、階段用スラブ型枠と階段型枠とを連結して一体化することで、コンクリートを充填しなくても、作業者の通行が可能になる。さらに、階段用スラブ型枠と階段型枠とを連結して一体化することで、コンクリートの充填圧によって階段型枠が押し上げられず、確実に固着される。
【００１７】
また、本発明の階段構造物の施工方法は、請求項４に示す如く、階段用スラブ型枠を斜設した後、該階段用スラブ型枠の上面に階段鉄筋を配筋し、つぎに、階段用スラブ型枠及び階段鉄筋の上に階段型枠を配し、続いて、階段用スラブ型枠と階段型枠とを連結部材によって連結し、その後、階段構造物の踊り場、又は、階段型枠の側面の少なくともいずれか一方からコンクリートを充填し、階段型枠の段板に穿設された複数のコンクリート充填点検穴からコンクリートの充填度合いを確認するようにしたものである。
【００１８】
よって、従来からの階段施工における、階段型枠の組立て作業、階段型枠の脱型作業、仕上げ作業が不要になり、作業時間の短縮が確実に実現される。
【００１９】
【発明の実施の形態】
本発明の一実施形態につき、図１乃至図３を参照して説明する。
本発明の階段構造物は、斜設された階段用スラブ型枠１と、該階段用スラブ型枠１の上面に配筋された階段鉄筋２と、階段用スラブ型枠１及び階段鉄筋２の上に配される階段型枠１０と、階段用スラブ型枠１及び階段型枠１０の連結手段と、階段用スラブ型枠１及び階段型枠１０の間に充填されるコンクリート３５とから構成されている。
【００２０】
階段鉄筋２は、階段用スラブ型枠１の傾斜面に沿って所定の間隔をおいて平行して配筋された下端筋３，…と、下端筋３，…の長手方向に沿って各下端筋３，…に固着されたいなずま筋４，…と、いなずま筋４，…各段の基端部に固着された段押さえ筋５，…と、いなずま筋４，…各段の先端部（段鼻）に固着された主筋６，…とを具備している。
【００２１】
そして、階段鉄筋２には、階段鉄筋２のいなずま筋４，…や主筋６，…と、階段型枠１０の内面との距離、即ちかぶり量を確保するための環状の間隔保持部材７，…が主筋６，…に沿って複数設けられている。
【００２２】
階段型枠１０は、左右の両側に配設された傾斜桁１１，１１と、両傾斜桁１１，１１の間に設けられた複数の水平方向の段板１２，…、及び、各段板１２，…の先端部（段鼻）から垂下された上下方向の蹴込み板１３，…とを備えている。
そして、階段型枠１０の段板１２，…、及び、蹴込み板１３，…の厚さは、５ｍｍ〜２０ｍｍ程度で、薄型になっている。さらに、階段型枠１０は、セメント系又は樹脂の材料によって成形されたものである。
【００２３】
傾斜桁１１，１１は、その上側が、最上段の蹴込み板１３の側端部から延設された上延設部１１ａと、該上延設部１１ａから下降傾斜した傾斜部１１ｂと、最下段の段板１２の側端部から延設された下延設部（図示せず）とを有している。
その下側が、各段板１２，…の側端部と各蹴込み板１３，…の側端部とで形成されるいなずま形状に合わせて、各段板１２，…及び各蹴込み板１３，…と一体化されている。
【００２４】
さらに、各段板１２，…及び各蹴込み板１３，…の左右の両側端部には、排水溝１５，…が各段板１２，…と各蹴込み板１３，…とで形成されるいなずま形状に合わせて形成されている。加えて、段板１２の左右の両排水溝１５，１５に排水すべく、各段板１２の中央部から両排水溝１５，１５にかけて緩やかに下降傾斜する水勾配１６，１６が形成されている。しかも、段板１２の先端部には、段板１２の長手方向に沿って形成された複数の凸条の滑り止め１７，…が形成されている。
【００２５】
また、段板１２の滑り止め１７，…の後方には、鉄筋と階段型枠１０との間に充填されるコンクリート充填点検穴１８，…が、段板１２の長手方向に添って複数穿設されている。各コンクリート充填点検穴１８，…は蓋体１９，…とパッキン１９ａ，…によって密閉され、浸水防止できるようになっている。さらに、蓋体１９，…と段板１２，…との段差は、人が階段構造物を昇降する際にも支障をきたさない程度の段差になっている。
【００２６】
連結手段は、第一連結部材２０と第二連結部材２５とから構成されている。第一連結部材２０は、各段板１２，…の裏面に溶着された大連結具２１，…と、階段用スラブ型枠１の上面に溶着された小連結具２２，…と、両連結具２１，…，２２，…を連結固定するための短尺のボルト２３，…及びナット３０，…とを具備している。第二連結部材２５は、各段板１２，…と蹴込み板１３，…との境界部位に穿設された貫通穴２６，…と、階段型枠１０と階段用スラブ型枠１との距離を確保するためのスペーサ２８，…と、貫通穴２６，…の外面に固着された略円錐形状のブッシング３１，…と、階段用スラブ型枠１と階段型枠１０とを連結する長尺のボルト２９，…及びナット３０，…とを具備している。
【００２７】
そして、コンクリート３５は、階段の踊り場、又は、階段型枠１０の側面から充填される。また、階段型枠１０の両側には、図示しない階段壁型枠が立設されている。
【００２８】
つぎに階段構造物の施工手順について説明する。まず、階段用スラブ型枠１を斜設した後、該階段用スラブ型枠１の上面に階段鉄筋２を配筋する。この際、階段鉄筋２は、鉄筋コンクリート躯体物の鉄筋と結束線によって筋結される（図示せず）。
【００２９】
つぎに、階段用スラブ型枠１及び階段鉄筋２の上に階段型枠１０を配する。この際、階段鉄筋２の間隔保持部材７，…に階段型枠１０の内面が当接し、階段鉄筋２と階段型枠１０との距離（かぶり量）が間隔保持部材７，…によって確保される。
【００３０】
続いて、階段用スラブ型枠１と階段型枠１０とを位置合わせする。即ち、階段型枠１０の大連結具２１，…と、階段用スラブ型枠１の小連結具２２，…とを当接すると共に、階段型枠１０と階段用スラブ型枠１との間にスペーサ２８，…を設ける。
【００３１】
その後、大連結具２１，…と、小連結具２２，…とを短尺のボルト２３，…及びナット３０，…で連結固定すると共に、長尺のボルト２９，…をスペーサ２８，…、及び、ブッシング３１，…に挿通して、階段用スラブ型枠１と階段型枠１０とを長尺のボルト２９，…及びナット３０，…で連結固定する。
【００３２】
つぎに、階段構造物の踊り場、又は、階段型枠１０の側面の少なくともいずれか一方からコンクリート３５を充填する。そして、階段型枠１０の各段板１２，…に穿設された複数のコンクリート充填点検穴１８，…からコンクリート３５の充填度合い、即ち、階段鉄筋２と階段型枠１０との間にコンクリート３５が略均一に充填されているか否かを確認する。
【００３３】
確認後、階段型枠１０のコンクリート充填点検穴１８，…を蓋体１９，…によって密閉する。そして、コンクリート３５が固化するまで放置し、コンクリート３５の固化後、第二連結部材２５のナット３０，…を緩めて長尺のボルト２９，…を抜き取り、階段型枠１０のブッシング３１，…の挿通穴をモルタルで埋め込み（図示せず）、階段構造物が完成する。なお、第一連結部材２０はコンクリート３５によって埋設される。この階段構造物の完成によって、鉄筋コンクリート躯体物全体の建築強度が確保される。
【００３４】
完成された階段構造物は、固着された階段型枠１０の段板１２，…、及び、蹴込み板１３，…が露出することになり、階段型枠１０の脱型作業、及び、階段型枠１０の段板１２，…の上面の仕上げ作業は要しない。
【００３５】
なお、前記実施形態の場合、段板１２の中央部から左右の排水溝１５，１５にかけて緩やかに下降傾斜する水勾配１６，１６としたが、段板１２の先端部（段鼻）にも排水できるように、段板１２の基端部から先端部（段鼻）側にかけて緩やかに下降傾斜する水勾配１６であってもよい。要するに、水勾配１６としては、段板１２の左側、右側、先端部の少なくともいずれか一方に排水できればよい。
【００３６】
また、前記実施形態の場合、階段用スラブ型枠１と階段型枠１０とを連結した後に、コンクリート３５を充填したが、階段用スラブ型枠１と階段型枠１０とを連結するだけで、作業者の歩行は充分可能である。
【００３７】
さらに、前記実施形態の場合、階段型枠１０を階段用スラブ型枠１に連結固定するようにしたが、階段壁型枠に連結固定するようにしてもよい。
【００３８】
加えて、階段型枠１０の傾斜桁１１，１１は、必須要件ではなく、設置される場所によっては不要になる場合もある。但し、階段壁型枠が必要になる場合には、階段壁Ｂの仕上げ作業が必要になるため、好ましくは、傾斜桁１１，１１を一体化した階段型枠１０を使用した方が作業性がよくなる。傾斜枠１１，１１としては、簓桁、側桁のいずれであってもよい。
【００３９】
また、前記実施形態の場合、第一連結部材２０、第二連結部材２５を有する階段型枠１０及び階段用スラブ型枠１を使用したが、第一連結部材２０、第二連結部材２５を既設の階段用スラブ型枠に設けて、階段型枠１０と連結するようにしてもよい。
【００４０】
さらに、前記実施形態の場合、第一連結部材２０の連結具２１，２２は、階段型枠１０に溶着するようにしたが、階段型枠１０と一体に形成するようにしてもよい。
【００４１】
加えて、前記実施形態の場合、階段型枠１０のコンクリート充填点検穴１８，…を蓋体１９，…によって密閉するようにしたが、モルタルをコンクリート充填点検穴１８，…に充填してコンクリート充填点検穴１８，…を密閉するようにしてもよい。
【００４２】
また、前記実施形態の場合、階段型枠１０の両側には、階段壁Ｂが立設されていたが、階段型枠１０の両側の少なくともいずれか一方に手摺を取り付けるようにしてもよい。この場合、手すりは、階段型枠１０と一体成形であってもよいし、別途取り付けるようにしてもよい。
【００４３】
【発明の効果】
以上説明したように、本発明の階段構造物によれば、段板及び蹴込み板が交互に配設されて一体化された階段型枠を使用するため、現場においての階段型枠の組立作業が不要になる。
【００４４】
さらに、階段型枠の段板には、複数のコンクリート充填点検穴が穿設されているため、階段用スラブ型枠と階段型枠との間に充填されるコンクリートを略均一に充填できる効果がある。
【００４５】
加えて、コンクリートの充填は、階段用スラブ型枠と階段型枠との間のみであるため、階段型枠の段板及び蹴込み板の仕上げ作業が不要になる。
【００４６】
また、階段型枠の段板において、排水溝や水勾配を形成したり、段板の段鼻において、滑り止めを設けたりすることで、排水処理及び安全性の確保を実現できる。
【００４７】
さらに、階段用スラブ型枠と階段型枠とを連結して一体化するようにしたので、作業者の通行路、及び、階段型枠の固着強度を確保するのに有効である。
【図面の簡単な説明】
【図１】本発明の階段構造物の完成概略斜視図である。
【図２】コンクリート充填前の階段構造物の切断正面図である。
【図３】コンクリート充填前の階段構造物の側断面図である。
【符号の説明】
１  階段用スラブ型枠
２  階段鉄筋
３  下端筋
４  いなずま筋
５  段押さえ筋
６  主筋
７  間隔保持部材
１０  階段型枠
１１  傾斜桁
１１ａ  上延設部
１１ｂ  傾斜部
１２  段板
１３  蹴込み板
１５  排水溝
１６  水勾配
１７  滑り止め
１８  コンクリート充填点検穴
１９  蓋体
１９ａ  パッキン
２０  第一連結部材
２１  大連結具
２２  小連結具
２３、３０  ボルト
２５  第二連結部材
２６  貫通穴
２８  スペーサ
２９  ブッシング
３０  ナット
３１  ブッシング
３５  コンクリート
Ｂ  階段壁
【図１】
2005030034.tif 000003
【図２】
2005030034.tif 000004
【図３】
2005030034.tif 000005